(57)【要約】      （修正有）【課題】テーブルを裏返すことなく脚を折り畳むことができるようにした折畳み式テーブル脚を提供する。【解決手段】テーブル１０に取付けブラケット２０を取付け、取付けブラケット２０と脚３０の上端取付け部３１を回転軸４０で回転可能に連結し、脚には係止ピン５０を回転可能にかつ揺動可能に設け、この係止ピン５０を付勢ばねによって回転軸４０に向けて引っ張り付勢し、取付けブラケット２０の円弧状ガイド縁２３には脚の起立位置及び折畳み位置に対応する箇所に係止凹部２３Ａ ２３Ｂを設け、係止ピン５０を選択的に係止できるようにした。【選択図】図２
0003211244.tif 000002
【実用新案登録請求の範囲】
【請求項１】
テーブル下面に取付けられ、テーブルに対して起立した起立姿勢とテーブルに対して折り畳まれた折畳み姿勢とにロック可能であるとともに、起立姿勢と折畳み姿勢との間で起立・折畳み可能となっている折畳み式テーブル脚であって、
脚（３０）をテーブル（１０）に取付けるための取付けブラケット（２０）は本体（２１）が平面コ字状をなし、該本体（２１）はその上縁にテーブル（１０）下面に取付けられる取付けフランジ部（２２）を有する一方、上記取付けブラケット（２０）の本体（２１）両側壁には軸挿通穴（２１Ａ）が幅方向に対向される一方、脚（３０）は上端部に平面四角形状の取付け部（３１）を有し、該取付け部（３１）の両側壁には軸挿通穴（３１Ａ）が幅方向に対向され、該取付け部（３１）の軸挿通穴（３１Ａ）と取付けブラケット（２０）の軸挿通穴（２１Ａ）には回転軸（４０）が挿通されて脚（３０）が取付けブラケット（２０）に対して回転可能となっており、
上記取付けブラケット本体（２１）の少なくとも一方の側壁下端縁は軸挿通穴（２１Ａ）を中心とする円弧状のガイド縁（２３）となっており、該ガイド縁（２３）には脚（３０）の起立姿勢に対応する箇所と折畳み姿勢に対応する箇所に係止凹部（２３Ａ、２３Ｂ）を有し、上記脚（３０）内には係止ピン（５０）が回転軸（４０）から離間して位置され、該係止ピン（５０）の一端は脚（３０）の取付け部（３１）の挿通穴に回転可能にかつ揺動可能に挿通され、上記係止ピン（５０）の他端部は脚（３０）の取付け部（３１）の脚長手方向に伸びる長穴（３１Ａ）に挿通されて外方に延び、上記係止ピン（５０）は付勢ばね（６０）によって上記回転軸（４０）に対して引っ張り付勢されており、上記係止ピン（５０）の挿通部分（５１）が上記係止ピン（５０）の係止凹部（２３Ａ、２３Ｂ）に対する係止・離脱の操作部分となっていることを特徴とする折畳み式テーブル脚。
【請求項２】
上記脚（３０）が丸パイプ状をなし、その上端部が平面コ字状をなしている請求項１記載の折畳み式テーブル脚。
【考案の詳細な説明】
【技術分野】
【０００１】
本考案は折畳み式テーブル脚に関し、特にテーブルを裏返すことなく脚を折り畳むことができるようにしたテーブル脚に関する。
【背景技術】
【０００２】
テーブルを使用するときには脚を起立させ、使用しないときには脚を折り畳んで小さなスペースに格納できるようにした折畳み式テーブル脚が種々提案されている（特許文献１、特許文献２）。
【０００３】
この種の折畳み式テーブル脚では脚を起立した姿勢と折畳んだ姿勢にどのようにロックするかが大切である。
【０００４】
例えば、脚上端部をテーブル下面のブラケットに回転自在に取付け、脚上端部には円弧状面を形成し、ロックレバーを自重で回動させて円弧状傾斜面に当接させ、反対側にストッパーを設けて脚を起立姿勢にロックし、テーブルを上下逆にしたときにロックレバーが自重で逆動して円弧状傾斜面から離脱させ、脚のロックを解除して折畳み姿勢に折り畳めるようにしたテーブル脚が知られている（特許文献３）。
【先行技術文献】
【特許文献】
【０００５】
【特許文献１】実用新案登録第３０６２３２４号公報
【特許文献２】特開平１１−７５９４１号公報
【特許文献３】特開２０００−１３９５７２号公報
【考案の概要】
【考案が解決しようとする課題】
【０００６】
しかし、特許文献３記載の折畳み式テーブル脚ではテーブルを使用状態のままで脚を折り畳むことができず、その都度テーブルを裏返し姿勢にする必要があって、操作が煩わしいばかりででなく、狭いスペースではテーブルを裏返すことができず、広い場所に持ち出してテーブルを裏返して脚を折り畳まなければならず、操作が煩雑であった。
【０００７】
本考案はかかる問題点に鑑み、テーブルを裏返すことなく脚を折り畳むことができるようにした折畳み式テーブル脚を提供することを課題とする。
【課題を解決するための手段】
【０００８】
そこで、本考案に係る折畳み式テーブル脚は、テーブル下面に取付けられ、テーブルに対して起立した起立姿勢とテーブルに対して折り畳まれた折畳み姿勢とにロック可能であるとともに、起立姿勢と折畳み姿勢との間で起立・折畳み可能となっている折畳み式テーブル脚であって、脚をテーブルに取付けるための取付けブラケットは本体が平面コ字状をなし、該本体はその上縁にテーブル下面に取付けられる取付けフランジ部を有し、上記取付けブラケットの本体両側壁には軸挿通穴が幅方向に対向される一方、脚は上端部に平面四角形状の取付け部を有し、該取付け部の両側壁には軸挿通穴が幅方向に対向され、該取付け部の軸挿通穴と取付けブラケットの軸挿通穴には回転軸が挿通されて脚が取付けブラケットに対して回転可能となっており、上記取付けブラケット本体の少なくとも一方の側壁下端縁は軸挿通穴を中心とする円弧状のガイド縁となっており、該ガイド縁には脚の起立姿勢に対応する箇所と折畳み姿勢に対応する箇所に係止凹部を有し、上記脚内には係止ピンが回転軸から離間して位置され、該係止ピンの一端は脚の取付け部の挿通穴に回転可能にかつ揺動可能に挿通され、上記係止ピンの他端部は脚の取付け部の脚長手方向に伸びる長穴に挿通されて外方に延び、上記係止ピンは付勢ばねによって上記回転軸に対して引っ張り付勢されており、上記係止ピンの挿通部分が上記係止ピンの係止凹部に対する係止・離脱の操作部分となっていることを特徴とする。
【０００９】
本考案の特徴の１つは取付けブラケットと脚を回転軸で回転可能に連結し、脚には係止ピンを回転可能にかつ揺動可能に設けて回転軸に向けて引っ張り付勢し、取付けブラケットの円弧状ガイド縁に係止凹部を２箇所設けて係止ピンを選択的に係止できるようにした点にある。
【００１０】
これにより、テーブルを使用状態にしたままで係止ピンを付勢ばねの付勢力に抗して起立位置の係止凹部から離脱させると、脚のロックが解除でき、脚を折り畳みながら係止ピンを円弧状ガイド縁に沿って揺動させて折畳み位置の係止凹部に係止させると脚を折畳み状態にロックできる。
その結果、テーブルを裏返し姿勢にすることなく、又広い場所にテーブルを持ち出すことなく、脚を折り畳んだり起立させたりすることができ、脚の起立・折畳み操作を非常に楽に行うことができる。
【００１１】
脚は中空四角形状でもよいが、角張ったデザインとなり、ユーザーに与える印象が硬い。これに対し、脚を丸パイプ状、例えば下窄まりの丸パイプ状となすと、ユーザーに与える印象を軟らかくできる。その場合には脚の回転軸を受ける部分の幅が狭くなってその部分に対する負荷が大きい。そこで、丸パイプ製脚の上端部を平面コ字状となし、そこに回転軸の挿通穴を形成するのがよい。
【図面の簡単な説明】
【００１２】
【図１】本考案に係る折畳み式テーブル脚の好ましい実施形態を示す側面構成図である。
【図２】上記実施形態を示す拡大図である。
【図３】上記実施形態を示す概略斜視図である。
【図４】上記実施形態における脚上端部の構造を示す図である。
【考案を実施するための形態】
【００１３】
以下、本考案を図面に示す具体例に基づいて詳細に説明する。図１ないし図４は本考案に係る折畳み式テーブル脚の好ましい実施形態を示す。図において、テーブル１０の下面には取付けブラケット２０によって脚３０が起立・折畳み可能に取付けられている。
【００１４】
取付けブラケット２０は本体２１が平面コ字状をなし、コ字状本体２１の３つの上縁には取付けフランジ部２２が折り曲げ形成され、取付けフランジ部２２にはねじによってテーブル１０下面に取付けるためのねじ穴が形成され、又取付けブラケット２０の本体２１両側壁には軸挿通穴２１Ａが幅方向に対向して穿設されている。
【００１５】
他方、脚３０は下窄まり状の丸パイプを用いて製作され、脚３０の上端部には平面四角形状の取付け部３１が形成され、取付け部３１の両側壁には軸挿通穴３１Ａが幅方向に対向して穿設されている。
【００１６】
脚３０の取付け部３１の軸挿通穴３１Ａと取付けブラケット２０の軸挿通穴２１Ａとは位置合わせされて回転軸４０が挿通され、これによって脚３０は取付けブラケット２０に対して回転可能となっている。
【００１７】
また、取付けブラケット２０の本体２１の両側壁下端縁は軸挿通穴２１Ａを中心とする円弧状に形成され、一方の側壁下端縁はガイド縁２３となっており、このガイド縁２３には脚３０の起立姿勢に対応する箇所と折畳み姿勢に対応する箇所に係止凹部２３Ａ、２３Ｂが形成されている。
【００１８】
また、脚３０内には係止ピン５０が回転軸４０から離間して設けられ、係止ピン５０の一端は脚３０の取付け部３１の挿通穴に回転可能にかつ揺動可能に挿通して抜け止めされ、係止ピン５０の他端部は脚３０の取付け部３１の脚長手方向に伸びる長穴３１Ａに挿通されて外方に延びている。
【００１９】
この係止ピン５０には付勢ばね６０の一端のリングが外挿され、付勢ばね６０の他端のリングは脚取付け部３１の上端部に形成された切り起こし３１Ｂに引っ掛けられ、係止ピン５０は回転軸４０に向けて引っ張り付勢され、係止ピン５０の挿通部分５１は係止ピン５０の係止凹部２３Ａ、２３Ｂに対する係止・離脱の操作部分となっている。
【００２０】
脚３０を起立させている場合、図２の実線に示されるように、係止ピン５０が付勢ばね６０によって引っ張られて起立位置の係止凹部２３Ａ内に嵌まり込み、脚３０は起立姿勢にロックされている。
【００２１】
脚３０を折り畳む場合、作業者がテーブル１０の下側に手を差し込み、係止ピン５０の操作部分５１を付勢ばね６０の付勢力に抗して押し下げると、テーブル脚３０のロックが解除されるので、脚３０をテーブル１０内方に折り畳むことができる。
【００２２】
すると、脚３０をテーブル１０の内方に折り畳むと、係止ピン５０が取付けブラケット２０の円弧状ガイド縁２３に沿ってスライドし、折畳み位置の係止凹部２３Ｂまで来ると、係止ピン５０が付勢ばね６０の付勢力によって引っ張られて折畳み位置の係止凹部２３Ｂに嵌まり込み、折畳み姿勢にロックされる。
【００２３】
脚３０を起立させる場合には上記と逆の操作を行えばよい。
【００２４】
以上のように、テーブル１０を裏返し姿勢にすることなく、又広い場所にテーブル１０を持ち出すことなく、脚３０を折り畳んだり起立させたりすることができ、脚３０の起立・折畳み操作を非常に楽に行うことができる。
【符号の説明】
【００２５】
１０      テーブル
２０      取付けブラケット
２３      ガイド縁
２３Ａ、２３Ｂ      係止凹部
３０      脚
３１      取付け部
３１Ａ    長穴
４０      回転軸
５０      係止ピン
【図１】
0003211244.tif 000003
【図２】
0003211244.tif 000004
【図３】
0003211244.tif 000005
【図４】
0003211244.tif 000006